(57)【要約】【課題】表示データの中で強調したい領域を聴取者に容易に把握させることが可能な携帯電子機器を提供する。【解決手段】本願発明に係る携帯電子機器は、第１画像データに基づく第１画像を表示するタッチパネルと、第１画像データを他の電子機器に出力する外部出力部と、タッチパネルに対するユーザによるタッチ操作を検出するタッチ操作検出部と、ユーザによるタッチ操作が、指定する第１の操作であるか否かを判定する操作判定部と、タッチ操作が第１の操作であると判定された場合に、第１画像データを用いて第２画像データを生成する画像生成部と、第１画像データが他の電子機器に出力されている場合において、第２画像データが生成されたときは、第１画像を前記タッチパネルに表示させ、第２画像データを外部出力部から他の電子機器に出力させる表示制御部と、を有することを特徴とする。【選択図】  図２
2015049521.tif 000002
【特許請求の範囲】
【請求項１】
画像データを記憶する記憶部と、
第１画像データに基づく第１画像を表示するタッチパネルと、
他の電子機器が接続され、前記第１画像データを前記他の電子機器に出力する外部出力部と、
前記タッチパネルに対するユーザによるタッチ操作を検出するタッチ操作検出部と、
前記タッチ操作検出部により検出された前記タッチ操作が、前記タッチパネルに表示された画像のうち、一部の領域を特定する第１の操作であるか否かを判定する操作判定部と、
前記操作判定部により前記タッチ操作が一部の領域を特定する第１の操作であると判定された場合に、前記第１画像データを用いて第２画像データを生成する画像生成部と、
前記第１画像データが前記外部出力を経由して前記他の電子機器に出力させている場合において、前記第２画像データが生成されたときは、前記第１画像を前記タッチパネルに表示させ、前記第１画像データに代えて前記第２画像データを前記外部出力部から前記他の電子機器に出力させる表示制御部と、
を有する携帯電子機器。
【請求項２】
前記画像生成部は、前記一部の領域と前記一部の領域以外の領域とが区別できるように、第２画像データを生成すること、
を特徴とする請求項１に記載の携帯電子機器。
【請求項３】
前記画像生成部は、前記第１画像データから前記一部の領域に関する画像データのみを抽出し、抽出した画像データを第２画像データとすること、
を特徴とする請求項１に記載の携帯電子機器。
【請求項４】
前記表示制御部は、前記第２画像データを前記外部出力部から前記他の電子機器に出力している場合において、前記タッチ操作検出部により検出されたタッチ操作が第２の操作であると前記操作判定部により判定されたときは、前記第２画像データの出力を終了し、前記第１画像データを前記外部出力部から前記他の電子機器に出力すること、
を特徴とする請求項１乃至請求項３に記載の携帯電子機器。
【請求項５】
前記表示制御部は、前記第２画像データを前記外部出力部から前記他の電子機器に出力している場合において、前記タッチ操作検出部により検出されたタッチ操作が第２の操作であると前記操作判定部により判定されたときは、前記タッチパネルに表示させる画像を、前記第１画像データに基づく第１画像から前記第２画像データに基づく第２画像に切替えること、
を特徴とする請求項１乃至請求項４に記載の携帯電子機器。
【請求項６】
前記表示制御部は、前記第２画像データに基づく第２画像を前記タッチパネルに表示させている場合において、前記外部出力部から前記他の電子機器への画像データの出力が終了したときは、前記タッチパネルに前記第１画像データに基づく第１画像を表示させること、
を特徴とする請求項５に記載の携帯電子機器。
【発明の詳細な説明】
【技術分野】
【０００１】
本発明は、タッチパネル式の表示画面を備えた携帯電子機器に関する。
【背景技術】
【０００２】
近年、タッチパネルを有する携帯電子機器が急速に実用されている。また従来は、ノートＰＣをプロジェクタに接続してノートＰＣの表示データをスクリーンに投影表示させプレゼンテーションをしていたが、最近はＰＣに代えて携帯性に優れるタッチパネルを有する携帯電子機器を使用するケースが増えている。
【０００３】
タッチパネルを有する携帯電子機器をプロジェクタ等に接続して、携帯電子機器に表示された表示データを投影表示させる技術として、特許文献１及び特許文献２等の技術が知られている。
【０００４】
例えば特許文献１には、プレゼンテーションの途中に、その表示内容に対して手書きの画像を合成して表示させ、当該合成表示された手書き画像を設定時間の経過後か又はボタン操作により自動消去する手書き入力表示装置が開示されている。また、特許文献２には、タッチパネル式の携帯端末をプロジェクタに接続してプレゼンテーションする場合に、タッチ操作の位置を操作対象の表示内容に応じて適切に投影表示することが可能になるタッチパネル式電子機器が開示されている。
【先行技術文献】
【特許文献】
【０００５】
【特許文献１】特開２００７−０８０００５号公報
【特許文献２】特開２０１３−７３５９５号公報
【発明の概要】
【発明が解決しようとする課題】
【０００６】
ところが、携帯電子機器をプロジェクタ等に接続してプレゼンテーションを行う場合には、説明者は、現在の操作位置を聴取者に容易に把握させるだけではなく、表示データの中で強調し、強調したい領域を、聴取者に容易に把握させたい場合がある。
【０００７】
従って、本発明は、上記課題に鑑みなされたものであり、表示データの中で強調したい領域を聴取者に容易に把握させることが可能な携帯電子機器を提供することを目的とする。
【課題を解決するための手段】
【０００８】
上記課題を解決するために本願発明に係る携帯電子機器は、画像データを記憶する記憶部と、第１画像データに基づく第１画像を表示するタッチパネルと、前記第１画像データを他の電子機器に出力する外部出力部と、前記タッチパネルに対するユーザによるタッチ操作を検出するタッチ操作検出部と、前記タッチ操作検出部により検出された前記タッチ操作が、前記タッチパネルに表示された画像のうち、一部の領域を特定する第１の操作であるか否かを判定する操作判定部と、前記操作判定部により前記タッチ操作が一部の領域を特定する第１の操作であると判定された場合に、前記第１画像データを用いて第２画像データを生成する画像生成部と、前記第１画像データが前記外部出力を経由して前記他の電子機器に出力させている場合において、前記第２画像データが生成されたときは、前記第１画像を前記タッチパネルに表示させ、前記第１画像データに代えて前記第２画像データを前記外部出力部から前記他の電子機器に出力させる表示制御部と、を有することを特
徴とする。
【発明の効果】
【０００９】
本発明に係る携帯電子機器によれば、表示された内容のうち、強調したい内容を聴取者に容易に把握させることができる。
【図面の簡単な説明】
【００１０】
【図１】携帯電話機１００の外観斜視図である。
【図２】携帯電話機１００の構成図である。
【図３】外部機器への画像データの出力を示す図である。
【図４】操作判定部１１６が判定する第１の操作の一例を示す図である。
【図５】画像生成部１１７が行う第２画像データの生成の一例を示す図である。
【図６】携帯電話機１００にて行われる処理を説明するためのフローチャートである。
【発明を実施するための形態】
【００１１】
以下、本発明に係る携帯電子機器の実施の形態の一つとして、携帯電話機１００を用いて説明する。本実施例では携帯電話機１００を用いて説明するが、本実施例の記載の内容は、携帯電話機以外の端末装置、例えばＰＤＡ、タブレット、タッチパネルを有するＰＣ（personal computer）等にも適用できる。
【００１２】
図１は、携帯電話機１００の外観斜視図である。筐体には、タッチパネル１０２、スピーカ１０３、マイク１０４、及び操作部１０５が設けられている。また、携帯電話機１００の側面には、外部機器と接続するための外部出力端子１１１が設けられている。タッチパネル１０２には、ユーザからの指示に基づいて、カーソルキーやテンキー等のキー群やアイコン等が表示される。また、タッチパネル１０２は、後述する記憶部１１０に記憶された画像データに基づく画像を表示することができる。携帯電話機１００は、外部出力端子１１１にテレビやプロジェクタ等の外部機器が接続された場合に、携帯電話機１００が保有するデータを外部出力端子１１１から、接続されている外部機器に出力できる。外部機器は、外部出力端子１１１に直絶接続されてもよいし、ケーブル等を介して間接的に接続されてもよい。
【００１３】
図２は、携帯電話機１００の構成図である。携帯電話機１００は、タッチパネル１０２、スピーカ１０３、マイク１０４、操作部１０５、アンテナ１０６、無線部１０７、信号処理部１０８、記憶部１１０、外部出力端子１１１、及び制御部１１４を含んで構成される。
【００１４】
無線部１０７は、アンテナ１０６を介して送受信する信号の変復調を行う。また無線部１０７は、アンテナ１０６を介して、他の携帯電話機から送信された通話要求を受信することができる。無線部１０７は、他の携帯電話機が送信した通話要求を受信することができる。無線部１０７は、受信した通話要求を制御部１１４に出力する。また無線部１０７は、他の携帯電話機から送信された電子メール等のデータを受信し、制御部１１４へ出力することができる。
【００１５】
信号処理部１０８は、マイク１０４から入力される音声信号を無線部１０７を介して送信するための処理や、アンテナ１０６から無線部１０７を介して受信した音声信号をスピーカ１０３へ出力するための処理を行う。
【００１６】
マイク１０４は、入力された音声を音声信号として信号処理部１０８へ出力する。
【００１７】
スピーカ１０３は、信号処理部１０８にて処理された音声信号又は制御部１１４より受け取った音声データを音声として出力する。
【００１８】
操作部１０５は、ユーザによる操作を受け付けることができる。操作部１０５は受け付けた操作を制御部１１４に出力する。操作部１０５は、ハードキー等により構成される。
【００１９】
タッチパネル１０２は表示部１１２及び入力部１１３を有する。
【００２０】
表示部１１２は、ＬＣＤ（Ｌｉｑｕｉｄ  Ｃｒｙｓｔａｌ  Ｄｉｓｐｌａｙ）を含み、制御部１１４からの指示に基づいて、文字やアイコン等の画像をＬＣＤに表示する機能を有している。
【００２１】
入力部１１３は、ユーザによるタッチを検出し、検出している間、単位時間（例えば１／６０秒）毎に、タッチしている位置の座標値を、制御部１１４及び記憶部１１０に出力する。尚、本実施例において、タッチとは、ユーザが指等で入力部１１３を触ることであり、デタッチとは、ユーザが指で入力部１１３を触れている場合に、触れている指を入力部１１３から離すことであり、スライドとは、ユーザが指で入力部１１３に触れている場合に、触れているユーザの指が接触を維持しながら移動することである。入力部１１３は、座標値を検出するとタッチされたと判断する。入力部１１３が、検出している座標値が検出されなくなったらデタッチと判断する。入力部１１３は、検出している座標値が時間と共に変化している場合は、スライドと判断する。尚、入力部１１３に触れるのは、ユーザの指だけに限らない。ユーザの指以外のペン等でもよい。入力部１１３は、一般的なタッチパネル１０２で用いられている抵抗膜方式、光学式、静電容量結合式等の何れの方法で実現するものであってもよい。また、入力部１１３は、ユーザによるタッチを同時に複数検出してもよい。入力部１１３は、ユーザによるタッチを一つ検出している場合において、ユーザによる新たなタッチを検出してもよい。入力部１１３は、既にタッチされている位置の座標値と、新たにタッチされた位置の座標値とを制御部１１４に出力してもよい。尚、ユーザによる入力部１１３に対する入力をタッチ操作と称する場合がある。タッチ操作とは、ユーザがタッチ状態からデタッチ状態までの間に入力部１１３に対して行った操作である。
【００２２】
記憶部１１０は、ＲＯＭ、ＲＡＭ、ＥＥＰＲＯＭ、不揮発性ＲＡＭ、フラッシュメモリ、ＨＤＤ等で構成され、制御部１１４で処理されるプログラム等を記憶する。
【００２３】
また、記憶部１１０は、ユーザによるタッチを検出している間、入力部１１３から出力される座標値を単位時間（例えば１／６０秒）毎に記憶する機能を有する。つまり、記憶部１１０は、タッチ状態からデタッチ状態までの間に出力された座標値を記憶する。記憶部１１０は、タッチ状態からデタッチ状態までの間に出力された複数の座標値を後述する制御部１１４に出力する。
【００２４】
また、記憶部１１０は、複数のアプリケーションプログラムを記憶している。
【００２５】
また、記憶部１１０は、表示部１１２に表示される画像データ又は外部出力端子１１１を介して出力される画像データを記憶する。記憶部１１０は、制御部１１４により生成された画像データを記憶する。尚、後述する第１画像データ及び第２画像データは記憶部１１０に記憶された画像データである。
【００２６】
また、記憶部１１０は、制御部１１４の指示に基づき、様々なデータを記憶することができる。
【００２７】
外部出力端子１１１は、テレビ等の表示装置やプロジェクタ等の投影機器等の外部機器が接続される。携帯電話機１００が保有するデータを外部機器に出力できる。外部機器は、外部出力端子１１１に直絶接続されてもよいし、ケーブル等を介して間接的に接続されてもよい。
【００２８】
尚、外部出力端子１１１は外部機器と無線通信を使用して接続してもよい。この場合、外部出力端子１１１は、近距離通信が可能な機能を有する。
【００２９】
図３は、外部出力端子１１１に外部機器が接続された場合の一例を示す図である。図２では、外部機器の一例として、画像が表示される表示部３０１を有する表示装置３００が示されている。また、携帯電話１００と表示装置３００とを接続するケーブル２００が図３に示されている。ケーブル２００の一端は、携帯電話１００の外部出力端子１１１に接続され、ケーブル２００の他端は、表示装置３００が有する入力端子に接続される。携帯電話１００は、タッチパネル１０２に表示されている画像のデータを外部出力端子１１１から出力する。表示装置３００は、外部出力端子１１１から出力された画像データを、ケーブル２００を介して受け取る。表示装置３００は、受け取った画像データに基づく画像を表示部３０１に表示する。尚、本実施例において外部機器とは表示装置３００を示すものとして説明するが、外部機器は表示装置３００に限定されるものではない。上述したように、外部機器は、プロジェクタなどの投射機器等であってもよい。図３では、オブジェクト４０２及びオブジェクト４０３を含む画像が表示部１１２に表示され、同じ画像が表示部３０１にも表示されている。
【００３０】
制御部１１４は、外部機器検出部１１５、操作判定部１１６、画像生成部１１７、及び表示制御部１１８を有する。
【００３１】
制御部１１４は、携帯電話機１００の全体動作の制御をできる。制御部１１４は、例えばＣＰＵ（Central Processing Unit）などの処理手段を有する。制御部１１４は、複数
のＣＰＵを含み、外部機器検出部１１５、操作判定部１１６、画像生成部１１７、及び表示制御部１１８の夫々の機能を、個々のＣＰＵに割り当てることでこれらの機能を実行してもよい。また、制御部１１４は、単一のＣＰＵのみを含み、一つのＣＰＵが外部機器検出部１１５、操作判定部１１６、画像生成部１１７、及び表示制御部１１８の機能を実行してもよい。上記に関わらず、制御部１１４は、複数のＣＰＵを含んでもよいし、単一のＣＰＵにのみで構成されてもよい。
【００３２】
また、記憶部１１０は、外部機器検出部１１５、操作判定部１１６、画像生成部１１７、及び表示制御部１１８に関する機能をプログラムとして記憶し、制御部１１４は、必要に応じて記憶部１１０からプログラムを取得し、実行することで、外部機器検出部１１５等の機能を実行してもよい。この場合には、図２に示される制御部１１４は、記憶部１１０からプログラムを取得し、実行した後の制御部１１４を表している。
【００３３】
外部機器検出部１１５は、外部出力端子１１１に外部機器が接続されているか否かを検出できる。外部機器検出部１１５は、外部出力端子１１１が外部機器に接続された場合は、接続を検出したことを操作判定部１１６及び表示制御部１１８に知らせる。また、外部機器検出部１１５は、外部出力端子１１１と外部機器との接続が解除された場合は、接続が解除したことを表示制御部１１８に知らせる。
【００３４】
操作判定部１１６は、タッチ状態からデタッチ状態までの間に記憶された座標値に基づき、ユーザのタッチ操作が表示部に表示された第１画像の特定の一部の領域を指定する操作であるか否かを判定できる。
【００３５】
図４を用いて、操作判定部１１６が行う判定を説明する。図４（Ａ）は、画像が表示部１１２に表示されていることを示す図である。図４（Ｂ）に示されるように、ユーザのタッチ操作が軌跡４００のように表示部１１２に表示された画像の一部の領域を囲う操作であれば、操作判定部１１６は、具体的な一部の領域を特定することができる。そのため操作判定部１１６は、ユーザによるタッチ操作は、表示部１１２に表示された画像から、一部の領域（図４（Ｂ）では領域４００）を指定する操作であると判定する。
【００３６】
一方、図４（Ｃ）の軌跡４０１に示されるように、軌跡４０１では、操作判定部１１６は具体的な一部の領域を特定することができない。そのため、操作判定部１１６は、ユーザによるタッチ操作は、表示部１１２に表示された画像から、一部の領域を特定する操作でないと判定する。
【００３７】
尚、図４（Ｂ）ではユーザによるタッチ操作の軌跡を四角で説明したが、必ずしも四角だけではなく、丸や三角等の軌跡であってもよい。また、操作判定部１１６は、タッチ操作の軌跡が画像の一部を明確に囲っていない場合であっても、タッチ操作の軌跡から画像の一部の領域を推定することが可能な場合は、推定した領域を画像の一部の領域とみなしてもよい。本実施例においては、表示部１１２に表示された画像から、一部の領域を特定する操作を第１の操作と称する場合がある。
【００３８】
尚、例えば図４（B）においてユーザが指定した領域４０１は、ユーザが領域をしてい
る間、表示部１１２に表示されてもよい。また、領域４０１は、後述する第２画像データが外部出力端子１１１から出力された後も第１画像に継続して表示されていてもよい。また、領域４０１は表示部１１２に表示されなくてもよい。
【００３９】
画像生成部１１７は、操作判定部１１６により第１画像のうち一部の領域が特定されたと判定されたときは、記憶部に記憶された第１画像データと操作判定部１１６からの情報とに基づいて、新たな第２画像データを生成する。
【００４０】
第２画像データは、第１画像データと比較して、ユーザにより指定された領域が強調された画像になっている。第２画像データの例を図５に示す。図５は、第２画像データに基づき表示される第２画像の例を示している。尚、図５は、操作判定部１１６が図４（Ｂ）に示されている領域４００を第１の操作と判定した場合の一例である。図５に示される画像は、外部出力端子１１１から外部機器に出力され、表示部３０１等に表示される画像である。図５の画像は、表示部１１２に表示されてもよい。
【００４１】
図５（Ａ）は、指定された領域をそれ以外の領域と比べて強調するため、指定された領域以外の領域をグレイアウトしている。つまり、指定された領域以外は薄い灰色で表示されている。図５（Ａ）では、オブジェクト４０３を含む領域が指定された領域となっているため、オブジェクト４０２はグレイアウトしている。尚、薄い灰色で表示される領域は、点線斜線で示される領域である。画像生成部１１７は、第１画像データと操作判定部１１６からの情報に基づいて、図５（Ａ）にて示される第２画像データを作成する。尚、図５（Ａ）の画像データは、第１画像データに、灰色の画像データであって特定の領域のみが灰色でない画像データを合成することで作成される。図５（Ａ）では、指定された領域以外の領域を灰色にすることで説明したが、必ずしも灰色には限られない。黒色、赤色、黄色、白色等、灰色以外の色を用いてもよい。指定された領域以外はグレイアウトされるので、ユーザの視線を特定の領域に集めることができる。
【００４２】
図５（Ｂ）は、指定された領域をそれ以外の領域と比べて強調するため、指定された領域のみを切り取り、切り取った後の画像データを第２画像データとしている。つまり、図５（Ｂ）に示される画像は、指定された領域に含まれる画像のみである。図５（Ｂ）では
、オブジェクト４０３は特定の領域の中にあるので表示されるが、オブジェクト４０２は特定の領域の外にあるため、オブジェクト４０２は第２画像の中に含まれない。特定の領域以外の領域は表示されないので、指定された領域のみを強調させることができる。
【００４３】
尚、図５は一例であって、画像生成部１１７が行う画像生成は、図５の態様に限られない。ユーザにより指定された領域とそれ以外の領域とを区別しうる表示態様であればよい。本実施例においては、画像生成部１１７は、図５（Ａ）に示される態様にて第２画像データを生成するものとして説明する。
【００４４】
表示制御部１１８は、画像データを表示部１１２に表示できる。また、表示制御部１１８は、外部出力端子１１１に外部機器が接続されている場合は、外部出力端子１１１を介して、外部機器に画像データを出力できる。
【００４５】
例えば表示制御部１１８は、第１画像データに基づく画像を表示部１１２に表示している場合において、外部出力端子１１１に外部機器が接続されたときは、第１画像データを前記外部機器に出力する。具体的には図３に示されるように、表示装置３００は、表示部１１２に表示されている画像と同じ画像を表示する。携帯電話１００と表示装置３００は、同じ第１画像データに基づく画像を表示する。
【００４６】
また表示制御部１１８は、第１画像データに基づく画像を表示部１１２に表示しかつ第１画像データを外部機器に出力している場合において、画像生成部１１７により第２画像データが生成されると、第１画像データに代えて第２画像データを外部機器に出力する。つまり、表示１１３には第１画像データに基づく画像が表示され、外部機器には第２画像データに基づく画像が表示されるため、表示部１１２に表示される画像と外部機器に表示される画像は異なる。例えば、表示装置３００は、図３に示されるように第１画像データに基づく第１画像を表示している状態から、図５（Ａ）に示される第２画像データに基づく第２画像を表示する状態に切り替わる。
【００４７】
次に、図６を用いて、本実施の形態にかかる携帯電話機１００の動作について説明する。
【００４８】
制御部は、表示部１１２に第１画像データに基づく第１画像が表示されているか否かを判断する（Ｓ１１）。表示部１１２に第１画像が表示されている場合は（Ｓ１１のＹＥＳ）、外部機器検出部１１５は、外部機器が接続されているか否かを判断する（Ｓ１２）。表示制御部１１８は、外部機器が接続されていると判断されたときは（Ｓ１２のＹＥＳ）、第１画像データを外部出力端子１１１から出力する（Ｓ１３）。外部機器は、第１画像データに基づく第１画像を表示する。つまり、図３に示される状態になる。
【００４９】
操作判定部１１６は、外部出力端子１１１から第１画像データが出力されると、ユーザにより第１の操作がなされたか否かを判定する（Ｓ１４）。第１の操作とは、既に図４（Ｂ）にて説明したように、領域４００等の特定の領域を指定する操作である。制御部は、第１の操作と判定されていない場合は（Ｓ１4のＮｏ）、ユーザにより外部機器への
出力を終了する操作が行われたか否かを判断する（Ｓ２１）。外部機器への出力を終了する操作が検出された場合は、表示制御部１１８は、第１画像データを外部出力端子１１１から出力する処理を終了する（Ｓ２２）。この場合、表示制御部１１８は、表示部１１２に第１画像を表示する処理は継続してもよい。また、Ｓ２１の処理に合わせて、表示部１１２に第１画像を表示する処理を終了してもよい。
【００５０】
操作判定部１１６は、ユーザによりなされた操作が第１の操作であると判定した場合は、その結果を画像生成部１１７に伝える（Ｓ１４のＹｅｓ）。
【００５１】
画像生成部１１７は、第１の操作が検出された場合は、第１の操作により指定された領域と、第１画像データとに基づき、第２画像データを生成する（Ｓ１５）。例えば、画像生成部１１７は、第１の操作として図４（Ｂ）の領域４００が検出された場合は、図５（Ｂ）に示される画像データを生成する。つまり、第１の操作により指定された領域以外の領域をグレイアウトする。
【００５２】
表示制御部１１８は、画像生成部１１７により第２画像データが生成されると、第２画像データを外部出力端子１１１から出力する（Ｓ１６）。外部機器は、第２画像データに基づく第２画像を表示する。この場合、携帯電話機１００の表示部１１２には、図３の表示部１１２に表示される第１画像が表示され、外部機器には、図５（Ａ）に示される第２画像が表示される。つまり、表示部１１２に表示される画像と外部機器に表示される画像は異なる画像となる。
【００５３】
制御部１１４は、第２画像データが外部出力端子１１１から出力されている場合、外部機器への出力を終了させる操作がユーザによりなされたか否かを検出する（Ｓ１７）。表示制御部１１８は、出力を終了させる操作が検出された場合は、第２画像データの出力を終了する（Ｓ１８）。表示制御部１１８は、第２画像データの出力を終了させる一方で、表示部１１２における第１画像の表示を継続してもよい。
【００５４】
以上の動作により、携帯電話機１００と外部機器とに同じ画像が表示されている場合に、ユーザが特定の領域を指定すると、携帯電話１００に表示された画像は変更されず、外部機器に表示される画像が変更される。これにより、例えばユーザが携帯電話機１００に表示された画像を他の人と共有する場合に、ユーザが外部機器に画像を出力することで他の人と画像を共有しているときは、携帯電話機１００の画像を変更することなく、他の人の視線を特徴の領域に集めることができる。携帯電話機１００の画像は変更されないので、ユーザは携帯電話機１００の画像を見ながら他の人に説明ができる。
【００５５】
本実施例において表示制御部１１８は、第２画像データを外部出力端子１１１から外部機器に出力することで記載したが、必ずしもこの動作だけに限られない。表示制御部１１８は、第１画像データに基づく画像を表示部１１２に表示しかつ第２画像データを外部機器に出力している場合において、ユーザによるタッチ操作が第２の操作であるときは、第２画像データの出力を終了し、第１画像データを外部機器に出力してもよい。つまり、表示部１１２に表示される画像と外部機器に表示される画像は共に第１画像データに基づく画像となるため、同じ画像が表示される。尚、第２の操作か否かは操作判定部１１６が入力部からの出力に基づき判定してもよい。第２の操作は、例えばスライド操作、タッチとデタッチを所定時間に複数繰り返す操作等である。
【００５６】
また表示制御部１１８は、第１画像データに基づく画像を表示部１１２に表示しかつ第２画像データを外部機器に出力している場合において、ユーザによるタッチ操作が第３の操作であるときは、第１画像データに基づく画像の表示を終了し、第２画像データに基づく画像を表示部１１２に表示させてもよい。つまり、表示部１１２に表示される画像と外部機器に表示される画像は共に第２画像データに基づく画像となるため、同じ画像が表示される。尚、第３の操作か否かは操作判定部１１６が入力部からの出力に基づき判定してもよい。第３の操作は、例えばスライド操作、タッチとデタッチを所定時間に複数繰り返す操作等である。
【００５７】
また表示制御部１１８は、第２画像データに基づく画像を表示部１１２に表示しかつ第２画像データを外部機器に出力している場合において、ユーザによるタッチ操作が第４の操作であるときは、第１画像データに基づく画像を表示部１１２に表示し、第１画像デー
タを外部機器に出力してもよい。つまり、表示部１１２に表示される画像と外部機器に表示される画像は共に第２画像データに基づく画像となるため、同じ画像が表示される。尚、第３の操作か否かは操作判定部１１６が入力部からの出力に基づき判定してもよい。第３の操作は、例えばスライド操作、タッチとデタッチを所定時間に複数繰り返す操作等である。
【００５８】
また表示制御部１１８は、第２画像データに基づく画像を表示部１１２に表示しかつ第２画像データを外部機器に出力している場合において、外部機器と外部出力端子１１１との接続が解除されたときは、第１画像データに基づく画像を表示部１１２に表示させる。
【００５９】
本実施例においては、外部機器が接続されると第１画像データを外部出力端子１１１から出力したが、必ずしもこの場合に限られない。表示制御部１１８は、外部機器が接続された場合においてユーザから所定の操作がなされたときに、第１画像データを外部出力端子１１１から出力してもよい。所定の操作とは、例えば外部機器へ画像データを出力するアプリケーションプログラムを実行する操作、メニュー操作等を介して外部機器へ画像データを出力する機能を実行する操作等がある。
【００６０】
本実施例においては、操作判定部１１６は、第１画像データが外部機器に出力された後に、判定処理を行ったが、必ずしもこの場合に限られない。例えば、第１画像データが外部機器に出力されている場合において、ユーザがタッチパネルに所定の操作を行ったときに、判定処理を開始してもよい。所定の操作とは、例えばメニュー操作等を介して、判定処理を実行する機能を実行する操作等である。
【００６１】
本実施例において、第１の操作により指定される領域は一つであったが、必ずしも指定される領域は一つとは限らない。例えばユーザが第１の操作を複数回数実行した場合は、複数の領域が指定されてもよい。具体的な動作について説明する。操作判定部１１６は、判定処理を開始すると、開始以降に検出した第１の操作により指定される領域に関する情報を記憶部に記憶させ、そしてユーザによる所定の操作を検出すると、操作判定部１１６は判定処理を終了する。操作判定部１１６は、判定処理を終了すると、記憶部に記憶されている指定された領域に関する情報を画像生成部１１７に出力する。上記により、操作判定部１１６は、所定の操作が検出されるまでの間に複数の第１の操作を検出することができ、また検出された複数の第１の操作の夫々に対応する指定された領域に関する情報が記憶部１１０に記憶される。そして、所定の操作の後、記憶部１１０に記憶された複数の特定の領域に関する情報は画像生成部１１７に出力される。これにより、画像生成部１１７は、複数の特定の領域に関する情報と第１画像データとに基づいて第２画像データを生成できる。尚、所定の操作とは、判定処理を終了させる操作等である。
【００６２】
尚、本実施例に係る携帯電話機１００は、外部出力端子１１１を有し、外部出力端子１１１を介して外部機器に出力することで記載したが、必ずしもこの内容に限定されない。例えば、外部出力端子１１１に代えて、表示部１１２に表示された画像を投影することができるプロジェクタ機能を有する投影部を携帯電話機１００は有し、投影部から投影される画像に対して本願実施例に記載された内容を実施してもよい。この場合は、外部機器の接続が行われないので、ユーザの操作に基づいて、投影部からの投影を制御してもよい。
【００６３】
また、第２画像データが外部出力端子１１１から出力されている場合において領域４０１が表示部１１２に表示されているときは、ユーザが領域４０１を操作することにより、領域４０１を移動させてもよく、また領域４０１の大きさを変更してもよい。この場合、領域４０１の移動またはサイズの変更に伴って、ユーザにより指定される領域が変わるので、画像生成部１１７は新たな第２画像データを生成し、生成された新たな第２画像データを外部出力端子１１１を介して外部機器に出力してもよい。
【００６４】
また、第２画像データが外部出力端子１１１から出力されている場合において、第１画像の領域４０１以外の領域に対してユーザが何かしらの操作又は入力をしたときは、画像生成部は、その操作又は入力の内容に基づき新たな第２画像データを生成しなくてもよい。例えば図５（Ｂ）の画像が外部機器に表示されている場合において、ユーザが第１画像の領域４０１以外の領域に何かしらの情報を表示させとしても、表示された情報は第２画像データに反映されなくてもよい。つまり、領域４０１以外の領域に対して行った操作の内容に基づいて、画像生成部１１７は新たな第２画像データを生成しなくてもよい。
【００６５】
この他、本発明の実施形態は、特許請求の範囲に示された技術的思想の範囲内において、適宜、種々の変更が可能である。
【符号の説明】
【００６６】
１０２  タッチパネル
１０３  スピーカ
１０４  マイク
１０５  操作部
１０６  アンテナ
１０７  無線部
１０８  信号処理部
１１０  記憶部
１１１  外部出力端子
１１４  制御部
１１５  外部機器検出部
１１６  操作判定部
１１７  画像生成部
１１８  表示制御部
【図１】
2015049521.tif 000003
【図２】
2015049521.tif 000004
【図３】
2015049521.tif 000005
【図４】
2015049521.tif 000006
【図５】
2015049521.tif 000007
【図６】
2015049521.tif 000008